【手続補正書】
【提出日】平成19年6月18日(2007.6.18)
【手続補正１】
【補正対象書類名】明細書
【補正対象項目名】発明の名称
【補正方法】変更
【補正の内容】
【発明の名称】情報出力制御方法、情報出力制御装置、及び情報出力制御装置、並びに記憶媒体
【手続補正２】
【補正対象書類名】明細書
【補正対象項目名】特許請求の範囲
【補正方法】変更
【補正の内容】
【特許請求の範囲】
【請求項１】  情報処理装置から送られた出力ジョブを出力サーバ内で展開する展開工程と、データサイズを指定する指定工程と、該指定工程により指定されたデータサイズと前記展開工程により展開された出力ジョブのデータサイズとを比較する比較工程と、該比較工程の比較結果に基づいて出力装置へのデータの送信を無線で行なうか有線で行なうかを判別する判別工程とを有することを特徴とする情報出力制御方法。
【請求項２】  前記情報処理装置は、コンピュータであり、前記出力ジョブは、プリントジョブであり、前記出力サーバは、プリントサーバであり、前記出力装置は、プリンタであることを特徴とする請求項１に記載の情報出力制御方法。
【請求項３】  情報処理装置から送られた出力ジョブを出力サーバ内で展開する展開手段と、データサイズを指定する指定手段と、該指定手段により指定されたデータサイズと前記展開手段により展開された出力ジョブのデータサイズとを比較する比較手段と、該比較手段の比較結果に基づいて出力装置へのデータの送信を無線で行なうか有線で行なうかを判別する判別手段とを有することを特徴とする情報出力制御システム。
【請求項４】  前記情報処理装置は、ホストコンピュータであり、前記出力ジョブは、プリントジョブであり、前記出力サーバは、プリントサーバであり、前記出力装置は、プリンタであることを特徴とする請求項３に記載の情報出力制御システム。
【請求項５】  情報処理装置から送られたデータをプリンタ記述言語に変換する変換工程と、プリントサーバ内で前記情報処理装置から送られたデータを第１の格納手段に格納する格納工程と、前記第１の格納手段に送られたデータを前記プリンタ記述言語に従って展開する展開工程と、データサイズを指定する指定工程と、前記展開工程により展開されたラスターデータのデータサイズと前記指定工程により指定されたデータサイズとを比較する比較工程と、該比較工程の比較結果に基づいてフラグを立てるフラグ工程と、前記展開工程により展開されたラスターデータを第２の格納手段に格納する第２の格納工程と、前記第２の格納手段に前記ラスターデータを格納するために圧縮する圧縮工程と、前記第２の格納手段から出力装置へのラスターデータの送信を無線で行なうか有線で行なうかを前記フラグ工程により立てられたフラグを用いて判別する判別工程とを有し、前記フラグ工程は、前記展開工程により展開されたラスターデータのデータサイズが前記指定工程により指定されたデータサイズよりも大きい場合は、前記ラスターデータを有線で接続されている出力装置に出力するようなフラグを立て、また、前記展開工程により展開されたラスターデータのデータサイズが前記指定工程により指定されたデータサイズよりも小さい場合は、前記ラスターデータを無線で接続されている出力装置に出力するようなフラグを立てることを特徴とする情報出力制御方法。
【請求項６】  前記情報処理装置は、ホストコンピュータであり、前記第１の格納手段は、ハードディスクであり、前記第２の格納手段は、メモリであり、前記出力装置は、プリンタであることを特徴とする請求項５に記載の情報出力制御方法。
【請求項７】  情報処理装置から送られたデータをプリンタ記述言語に変換する変換手段と、プリントサーバ内で前記情報処理装置から送られたデータを格納する第１の格納手段と、該第１の格納手段に送られたデータを前記プリンタ記述言語に従って展開する展開手段と、データサイズを指定する指定手段と、前記展開手段により展開されたラスターデータのデータサイズと前記指定手段により指定されたデータサイズとを比較する比較手段と、該比較手段の比較結果に基づいてフラグを立てるフラグ手段と、前記展開手段により展開されたラスターデータを格納する第２の格納手段と、該第２の格納手段に前記ラスターデータを格納するために圧縮する圧縮手段と、前記第２の格納手段から出力装置へのラスターデータの送信を無線で行なうか有線で行なうかを前記フラグ手段により立てられたフラグを用いて判別する判別手段とを有し、前記フラグ手段は、前記展開手段により展開されたラスターデータのデータサイズが前記指定手段により指定されたデータサイズよりも大きい場合は、前記ラスターデータを有線で接続されている出力装置に出力するようなフラグを立て、また、前記展開手段により展開されたラスターデータのデータサイズが前記指定手段により指定されたデータサイズよりも小さい場合は、前記ラスターデータを無線で接続されている出力装置に出力するようなフラグを立てることを特徴とする情報出力制御システム。
【請求項８】  前記情報処理装置は、ホストコンピュータであり、前記第１の格納手段は、ハードディスクであり、前記第２の格納手段は、メモリであり、前記出力装置は、プリンタであることを特徴とする請求項７に記載の情報出力制御システム。
【請求項９】  情報出力制御装置を制御するための制御プログラムを格納した記憶媒体であって、前記制御プログラムは、情報処理装置から送られた出力ジョブを出力サーバ内で展開する展開モジュールと、データサイズを指定する指定モジュールと、該指定モジュールにより指定されたデータサイズと前記展開モジュールにより展開された出力ジョブのデータサイズとを比較する比較モジュールと、該比較モジュールの比較結果に基づいて出力装置へのデータの送信を無線で行なうか有線で行なうかを判別する判別モジュールとをコンピュータに実行させることを特徴とする記憶媒体。
【請求項１０】  前記情報処理装置は、ホストコンピュータであり、前記出力ジョブは、プリントジョブであり、前記出力サーバは、プリントサーバであり、前記出力装置は、プリンタであることを特徴とする請求項９に記載の記憶媒体。
【請求項１１】  情報出力制御装置を制御するための制御プログラムを格納した記憶媒体であって、前記制御プログラムは、情報処理装置から送られたデータをプリンタ記述言語に変換する変換機能と、プリントサーバ内で前記情報処理装置から送られたデータを第１の格納手段に格納する第１の格納機能と、前記第１の格納手段に送られたデータを前記プリンタ記述言語に従って展開する展開機能と、データサイズを指定する指定機能と、前記展開機能により展開されたラスターデータのデータサイズと前記指定機能により指定されたデータサイズとを比較する比較機能と、該比較機能の比較結果に基づいてフラグを立てるフラグ機能と、前記展開機能により展開されたラスターデータを第２の格納手段に格納する第２の格納機能と、前記第２の格納手段に前記ラスターデータを格納するために圧縮する圧縮機能と、前記第２の格納手段から出力装置へのデータの送信を無線で行なうか有線で行なうかを前記フラグ機能により立てられたフラグを用いて判別する判別機能とをコンピュータに実行させ、前記フラグ機能は、前記展開機能により展開されたラスターデータのデータサイズが前記指定機能により指定されたデータサイズよりも大きい場合は、前記ラスターデータを有線で接続されている出力装置に出力するようなフラグを立て、また、前記展開機能により展開されたラスターデータのデータサイズが前記指定機能により指定されたデータサイズよりも小さい場合は、前記ラスターデータを無線で接続されている出力装置に出力するようなフラグを立てることを特徴とする記憶媒体。
【請求項１２】  前記情報処理装置は、ホストコンピュータであり、前記第１の格納手段は、ハードディスクであり、前記第２の格納手段は、メモリであり、前記出力装置は、プリンタであることを特徴とする請求項１１に記載の記憶媒体。
【請求項１３】  データサイズを指定する指定工程と、展開された出力ジョブのデータサイズが該指定工程により指定されたデータサイズより大きいか否かを判別する判別工程と、該判別工程により展開された出力ジョブのデータサイズが該指定工程により指定されたデータサイズより大きいと判別された場合、出力装置へのデータの送信を有線で行い、該判別工程により展開された出力ジョブのデータサイズが該指定工程により指定されたデータサイズより大きくないと判別された場合、出力装置へのデータの送信を無線で行う工程とを有することを特徴とする情報出力制御方法。
【請求項１４】  データサイズを指定する指定手段と、展開された出力ジョブのデータサイズが該指定手段により指定されたデータサイズより大きいか否かを判別する判別手段と、該判別手段により展開された出力ジョブのデータサイズが該指定手段により指定されたデータサイズより大きいと判別された場合、出力装置へのデータの送信を有線で行い、該判別手段により展開された出力ジョブのデータサイズが該指定手段により指定されたデータサイズより大きくないと判別された場合、出力装置へのデータの送信を無線で行う手段とを有することを特徴とする情報出力制御装置。
【請求項１５】  データサイズを指定する指定工程と、展開された出力ジョブのデータサイズが該指定工程により指定されたデータサイズより大きいか否かを判別する判別工程と、該判別工程により展開された出力ジョブのデータサイズが該指定工程により指定されたデータサイズより大きいと判別された場合、出力装置へのデータの送信を有線で行い、該判別工程により展開された出力ジョブのデータサイズが該指定工程により指定されたデータサイズより大きくないと判別された場合、出力装置へのデータの送信を無線で行う工程とをコンピュータに実行させるプログラムを記憶する記憶媒体。
【手続補正３】
【補正対象書類名】明細書
【補正対象項目名】０００１
【補正方法】変更
【補正の内容】
【０００１】
【発明の属する技術分野】
本発明は、ユーザがホストコンピュータ等の情報処理装置からプリンタ等の出力装置に情報を出力する際に、例えば、プリントジョブの内容により有線送信状態或いは無線送信状態に切り替えて出力するように制御する情報出力制御方法、情報出力制御装置、及び情報出力制御システム、並びにこの情報出力制御システムを制御するための制御プログラムを格納した記憶媒体に関する。
【手続補正４】
【補正対象書類名】明細書
【補正対象項目名】０００７
【補正方法】変更
【補正の内容】
【０００７】
本発明は上述した従来の技術の有するこのような問題点に鑑みてなされたものであり、その第１の目的とするところは、転送負荷の余りかからない比較的データ容量の小さいデータのみを無線で出力装置に出力することができるようにした情報出力制御方法、情報出力制御装置、及び情報出力制御システムを提供することにある。
【手続補正５】
【補正対象書類名】明細書
【補正対象項目名】０００９
【補正方法】変更
【補正の内容】
【０００９】
【課題を解決するための問題】
上記第１の目的を達成するために、請求項１に記載の情報出力制御方法は、情報処理装置から送られた出力ジョブを出力サーバ内で展開する展開工程と、データサイズを指定する指定工程と、該指定工程により指定されたデータサイズと前記展開工程により展開された出力ジョブのデータサイズとを比較する比較工程と、該比較工程の比較結果に基づいて出力装置へのデータの送信を無線で行なうか有線で行なうかを判別する判別工程とを有することを特徴とする。
【手続補正６】
【補正対象書類名】明細書
【補正対象項目名】００１０
【補正方法】変更
【補正の内容】
【００１０】
請求項２に記載の情報出力制御方法は、請求項１に記載の情報出力制御方法において、前記情報処理装置は、コンピュータであり、前記出力ジョブは、プリントジョブであり、前記出力サーバは、プリントサーバであり、前記出力装置は、プリンタであることを特徴とする。
【手続補正７】
【補正対象書類名】明細書
【補正対象項目名】００１１
【補正方法】変更
【補正の内容】
【００１１】
請求項３に記載の情報出力制御方法は、情報処理装置から送られた出力ジョブを出力サーバ内で展開する展開手段と、データサイズを指定する指定手段と、該指定手段により指定されたデータサイズと前記展開手段により展開された出力ジョブのデータサイズとを比較する比較手段と、該比較手段の比較結果に基づいて出力装置へのデータの送信を無線で行なうか有線で行なうかを判別する判別手段とを有することを特徴とする。
【手続補正８】
【補正対象書類名】明細書
【補正対象項目名】００１２
【補正方法】変更
【補正の内容】
【００１２】
請求項４に記載の情報出力制御方法は、請求項３に記載の情報出力制御方法において、前記情報処理装置は、ホストコンピュータであり、前記出力ジョブは、プリントジョブであり、前記出力サーバは、プリントサーバであり、前記出力装置は、プリンタであることを特徴とする。
【手続補正９】
【補正対象書類名】明細書
【補正対象項目名】００１３
【補正方法】変更
【補正の内容】
【００１３】
請求項５に記載の情報出力制御方法は、情報処理装置から送られたデータをプリンタ記述言語に変換する変換工程と、プリントサーバ内で前記情報処理装置から送られたデータを第１の格納手段に格納する格納工程と、前記第１の格納手段に送られたデータを前記プリンタ記述言語に従って展開する展開工程と、データサイズを指定する指定工程と、前記展開工程により展開されたラスターデータのデータサイズと前記指定工程により指定されたデータサイズとを比較する比較工程と、該比較工程の比較結果に基づいてフラグを立てるフラグ工程と、前記展開工程により展開されたラスターデータを第２の格納手段に格納する第２の格納工程と、前記第２の格納手段に前記ラスターデータを格納するために圧縮する圧縮工程と、前記第２の格納手段から出力装置へのラスターデータの送信を無線で行なうか有線で行なうかを前記フラグ工程により立てられたフラグを用いて判別する判別工程とを有し、前記フラグ工程は、前記展開工程により展開されたラスターデータのデータサイズが前記指定工程により指定されたデータサイズよりも大きい場合は、前記ラスターデータを有線で接続されている出力装置に出力するようなフラグを立て、また、前記展開工程により展開されたラスターデータのデータサイズが前記指定工程により指定されたデータサイズよりも小さい場合は、前記ラスターデータを無線で接続されている出力装置に出力するようなフラグを立てることを特徴とする。
【手続補正１０】
【補正対象書類名】明細書
【補正対象項目名】００１４
【補正方法】変更
【補正の内容】
【００１４】
請求項６に記載の情報出力制御方法は、請求項５に記載の情報出力制御方法において、前記情報処理装置は、ホストコンピュータであり、前記第１の格納手段は、ハードディスクであり、前記第２の格納手段は、メモリであり、前記出力装置は、プリンタであることを特徴とする。
【手続補正１１】
【補正対象書類名】明細書
【補正対象項目名】００１５
【補正方法】変更
【補正の内容】
【００１５】
請求項７に記載の情報出力制御システムは、情報処理装置から送られたデータをプリンタ記述言語に変換する変換手段と、プリントサーバ内で前記情報処理装置から送られたデータを格納する第１の格納手段と、該第１の格納手段に送られたデータを前記プリンタ記述言語に従って展開する展開手段と、データサイズを指定する指定手段と、前記展開手段により展開されたラスターデータのデータサイズと前記指定手段により指定されたデータサイズとを比較する比較手段と、該比較手段の比較結果に基づいてフラグを立てるフラグ手段と、前記展開手段により展開されたラスターデータを格納する第２の格納手段と、該第２の格納手段に前記ラスターデータを格納するために圧縮する圧縮手段と、前記第２の格納手段から出力装置へのラスターデータの送信を無線で行なうか有線で行なうかを前記フラグ手段により立てられたフラグを用いて判別する判別手段とを有し、前記フラグ手段は、前記展開手段により展開されたラスターデータのデータサイズが前記指定手段により指定されたデータサイズよりも大きい場合は、前記ラスターデータを有線で接続されている出力装置に出力するようなフラグを立て、また、前記展開手段により展開されたラスターデータのデータサイズが前記指定手段により指定されたデータサイズよりも小さい場合は、前記ラスターデータを無線で接続されている出力装置に出力するようなフラグを立てることを特徴とする。
【手続補正１２】
【補正対象書類名】明細書
【補正対象項目名】００１６
【補正方法】変更
【補正の内容】
【００１６】
請求項８に記載の情報出力制御システムは、請求項７に記載の情報出力制御システムにおいて、前記情報処理装置は、ホストコンピュータであり、前記第１の格納手段は、ハードディスクであり、前記第２の格納手段は、メモリであり、前記出力装置は、プリンタであることを特徴とする。
【手続補正１３】
【補正対象書類名】明細書
【補正対象項目名】００１７
【補正方法】変更
【補正の内容】
【００１７】
上記第２の目的を達成するために、請求項９に記載の記憶媒体は、情報出力制御装置を制御するための制御プログラムを格納した記憶媒体であって、前記制御プログラムは、情報処理装置から送られた出力ジョブを出力サーバ内で展開する展開モジュールと、データサイズを指定する指定モジュールと、該指定モジュールにより指定されたデータサイズと前記展開モジュールにより展開された出力ジョブのデータサイズとを比較する比較モジュールと、該比較モジュールの比較結果に基づいて出力装置へのデータの送信を無線で行なうか有線で行なうかを判別する判別モジュールとをコンピュータに実行させることを特徴とする。
【手続補正１４】
【補正対象書類名】明細書
【補正対象項目名】００１８
【補正方法】変更
【補正の内容】
【００１８】
請求項１０に記載の記憶媒体は、請求項９に記載の記憶媒体において、前記情報処理装置は、ホストコンピュータであり、前記出力ジョブは、プリントジョブであり、前記出力サーバは、プリントサーバであり、前記出力装置は、プリンタであることを特徴とする。
【手続補正１５】
【補正対象書類名】明細書
【補正対象項目名】００１９
【補正方法】変更
【補正の内容】
【００１９】
上記第２の目的を達成するために、請求項１１に記載の記憶媒体は、情報出力制御装置を制御するための制御プログラムを格納した記憶媒体であって、前記制御プログラムは、情報処理装置から送られたデータをプリンタ記述言語に変換する変換機能と、プリントサーバ内で前記情報処理装置から送られたデータを第１の格納手段に格納する第１の格納機能と、前記第１の格納手段に送られたデータを前記プリンタ記述言語に従って展開する展開機能と、データサイズを指定する指定機能と、前記展開機能により展開されたラスターデータのデータサイズと前記指定機能により指定されたデータサイズとを比較する比較機能と、該比較機能の比較結果に基づいてフラグを立てるフラグ機能と、前記展開機能により展開されたラスターデータを第２の格納手段に格納する第２の格納機能と、前記第２の格納手段に前記ラスターデータを格納するために圧縮する圧縮機能と、前記第２の格納手段から出力装置へのデータの送信を無線で行なうか有線で行なうかを前記フラグ機能により立てられたフラグを用いて判別する判別機能とをコンピュータに実行させ、前記フラグ機能は、前記展開機能により展開されたラスターデータのデータサイズが前記指定機能により指定されたデータサイズよりも大きい場合は、前記ラスターデータを有線で接続されている出力装置に出力するようなフラグを立て、また、前記展開機能により展開されたラスターデータのデータサイズが前記指定機能により指定されたデータサイズよりも小さい場合は、前記ラスターデータを無線で接続されている出力装置に出力するようなフラグを立てることを特徴とする。
【手続補正１６】
【補正対象書類名】明細書
【補正対象項目名】００２０
【補正方法】変更
【補正の内容】
【００２０】
請求項１２に記載の記憶媒体は、請求項１１に記載の記憶媒体において、前記情報処理装置は、ホストコンピュータであり、前記第１の格納手段は、ハードディスクであり、前記第２の格納手段は、メモリであり、前記出力装置は、プリンタであることを特徴とする。
【手続補正１７】
【補正対象書類名】明細書
【補正対象項目名】００２１
【補正方法】変更
【補正の内容】
【００２１】
請求項１３に記載の情報制御方法は、データサイズを指定する指定工程と、展開された出力ジョブのデータサイズが該指定工程により指定されたデータサイズより大きいか否かを判別する判別工程と、該判別工程により展開された出力ジョブのデータサイズが該指定工程により指定されたデータサイズより大きいと判別された場合、出力装置へのデータの送信を有線で行い、該判別工程により展開された出力ジョブのデータサイズが該指定工程により指定されたデータサイズより大きくないと判別された場合、出力装置へのデータの送信を無線で行う工程とを有することを特徴とする。
【手続補正１８】
【補正対象書類名】明細書
【補正対象項目名】００２２
【補正方法】変更
【補正の内容】
【００２２】
請求項１４に記載の情報制御装置は、データサイズを指定する指定手段と、展開された出力ジョブのデータサイズが該指定手段により指定されたデータサイズより大きいか否かを判別する判別手段と、該判別手段により展開された出力ジョブのデータサイズが該指定手段により指定されたデータサイズより大きいと判別された場合、出力装置へのデータの送信を有線で行い、該判別手段により展開された出力ジョブのデータサイズが該指定手段により指定されたデータサイズより大きくないと判別された場合、出力装置へのデータの送信を無線で行う手段とを有することを特徴とする。
【手続補正１９】
【補正対象書類名】明細書
【補正対象項目名】００２３
【補正方法】変更
【補正の内容】
【００２３】
上記第２の目的を達成するために、請求項１５に記載の記憶媒体は、データサイズを指定する指定工程と、展開された出力ジョブのデータサイズが該指定工程により指定されたデータサイズより大きいか否かを判別する判別工程と、該判別工程により展開された出力ジョブのデータサイズが該指定工程により指定されたデータサイズより大きいと判別された場合、出力装置へのデータの送信を有線で行い、該判別工程により展開された出力ジョブのデータサイズが該指定工程により指定されたデータサイズより大きくないと判別された場合、出力装置へのデータの送信を無線で行う工程とをコンピュータに実行させるプログラムを記憶する。
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】削除
【補正の内容】
【手続補正３０】
【補正対象書類名】明細書
【補正対象項目名】００３４
【補正方法】削除
【補正の内容】
【手続補正３１】
【補正対象書類名】明細書
【補正対象項目名】００３５
【補正方法】削除
【補正の内容】
【手続補正３２】
【補正対象書類名】明細書
【補正対象項目名】００３６
【補正方法】削除
【補正の内容】
【手続補正３３】
【補正対象書類名】明細書
【補正対象項目名】００３７
【補正方法】削除
【補正の内容】
【手続補正３４】
【補正対象書類名】明細書
【補正対象項目名】００３８
【補正方法】削除
【補正の内容】
【手続補正３５】
【補正対象書類名】明細書
【補正対象項目名】００３９
【補正方法】削除
【補正の内容】
【手続補正３６】
【補正対象書類名】明細書
【補正対象項目名】００４０
【補正方法】削除
【補正の内容】
【手続補正３７】
【補正対象書類名】明細書
【補正対象項目名】００４１
【補正方法】削除
【補正の内容】